(57)【要約】【課題】給紙段の使用頻度又は使用量を平準化することを目的とする。【解決手段】複数の画像形成の機能ごとに複数の給紙段の優先順位を決定する決定手段と、決定手段により決定された優先順位に基づいて、要求された画像形成の機能で利用される給紙段を選択する選択手段と、を有することによって課題を解決する。【選択図】図３
2016068523.tif 000002
【特許請求の範囲】
【請求項１】
複数の画像形成の機能ごとに複数の給紙段の優先順位を決定する決定手段と、
前記決定手段により決定された前記優先順位に基づいて、要求された画像形成の機能で利用される給紙段を選択する選択手段と、
を有する画像形成装置。
【請求項２】
前記複数の画像形成の機能ごとに前記複数の給紙段に関して前記選択手段による選択の対象とするか否かが設定された設定情報を取得する取得手段を更に有し、
前記決定手段は、前記取得手段により取得された前記設定情報に基づいて、複数の画像形成の機能ごとに複数の給紙段の優先順位を決定する請求項１記載の画像形成装置。
【請求項３】
前記複数の画像形成の機能ごとに前記複数の給紙段のうち優先する給紙段が設定された設定情報を取得する取得手段を更に有し、
前記決定手段は、前記取得手段により取得された前記設定情報に基づいて、複数の画像形成の機能ごとに複数の給紙段の優先順位を決定する請求項１記載の画像形成装置。
【請求項４】
前記設定情報を設定する設定手段を更に有する請求項２又は３記載の画像形成装置。
【請求項５】
前記設定手段は、操作パネルを介したユーザの設定操作に応じて、前記設定情報を設定する請求項４記載の画像形成装置。
【請求項６】
画像形成ジョブの実行ごとに複数の給紙段の優先順位を決定する決定手段と、
前記決定手段により決定された前記優先順位に基づいて、画像形成ジョブで利用される給紙段を選択する選択手段と、
を有する画像形成装置。
【請求項７】
画像形成ジョブの終了時に前記画像形成ジョブで利用された給紙段の給紙段情報を保存する保存手段と、
新しい画像形成ジョブの実行に応じて、前記保存手段により保存された給紙段情報を取得する取得手段と、
を更に有し、
前記決定手段は、前記取得手段により取得された前記給紙段情報に基づいて、前記新しい画像形成ジョブの実行に関する複数の給紙段の優先順位を決定する請求項６記載の画像形成装置。
【請求項８】
画像形成装置が実行する情報処理方法であって、
複数の画像形成の機能ごとに複数の給紙段の優先順位を決定する決定ステップと、
前記決定ステップにより決定された前記優先順位に基づいて、要求された画像形成の機能で利用される給紙段を選択する選択ステップと、
を含む情報処理方法。
【請求項９】
画像形成装置が実行する情報処理方法であって、
画像形成ジョブの実行ごとに複数の給紙段の優先順位を決定する決定ステップと、
前記決定ステップにより決定された前記優先順位に基づいて、画像形成ジョブで利用される給紙段を選択する選択ステップと、
を含む情報処理方法。
【請求項１０】
コンピュータに、
複数の画像形成の機能ごとに複数の給紙段の優先順位を決定する決定ステップと、
前記決定ステップにより決定された前記優先順位に基づいて、要求された画像形成の機能で利用される給紙段を選択する選択ステップと、
を実行させるためのプログラム。
【請求項１１】
前記複数の画像形成の機能ごとに前記複数の給紙段に関して前記選択ステップによる選択の対象とするか否かが設定された設定情報を取得する取得ステップを更に実行させ、
前記決定ステップでは、前記取得ステップにより取得された前記設定情報に基づいて、複数の画像形成の機能ごとに複数の給紙段の優先順位を決定する請求項１０記載のプログラム。
【請求項１２】
前記複数の画像形成の機能ごとに前記複数の給紙段のうち優先する給紙段が設定された設定情報を取得する取得ステップを更に実行させ、
前記決定ステップでは、前記取得ステップにより取得された前記設定情報に基づいて、複数の画像形成の機能ごとに複数の給紙段の優先順位を決定する請求項１０記載のプログラム。
【請求項１３】
前記設定情報を設定する設定ステップを更に実行させる請求項１１又は１２記載のプログラム。
【請求項１４】
前記設定ステップでは、操作パネルを介したユーザの設定操作に応じて、前記設定情報を設定する請求項１３記載のプログラム。
【請求項１５】
コンピュータに、
画像形成ジョブの実行ごとに複数の給紙段の優先順位を決定する決定ステップと、
前記決定ステップにより決定された前記優先順位に基づいて、画像形成ジョブで利用される給紙段を選択する選択ステップと、
を実行させるためのプログラム。
【請求項１６】
画像形成ジョブの終了時に前記画像形成ジョブで利用された給紙段の給紙段情報を保存する保存ステップと、
新しい画像形成ジョブの実行に応じて、前記保存ステップにより保存された給紙段情報を取得する取得ステップと、
を更に実行させ、
前記決定ステップでは、前記取得ステップにより取得された前記給紙段情報に基づいて、前記新しい画像形成ジョブの実行に関する複数の給紙段の優先順位を決定する請求項１５記載のプログラム。
【発明の詳細な説明】
【技術分野】
【０００１】
本発明は、給紙段の使用頻度又は使用量を平準化する画像形成装置、情報処理方法及びプログラムに関する。
【背景技術】
【０００２】
画像形成装置の中には、印刷中に、選択されている給紙段の用紙がなくなり、他に同一用紙サイズ・同一用紙種類の給紙段があれば、選択されている給紙段を自動的に切り替えて、印刷を続行させるカセットオート選択機能を有するものがある。
また、同一用紙サイズ・同一用紙種類の給紙段が複数ある場合、用紙をピックアップする給紙段の設定を機能毎に可能するといった方法が提案されている（特許文献１）。
【先行技術文献】
【特許文献】
【０００３】
【特許文献１】特開平９−１９００２８号公報
【発明の概要】
【発明が解決しようとする課題】
【０００４】
従来のカセットオート選択機能では、カセット１→カセット２→カセット３→カセット４という順で用紙の搬送時間が短い給紙段から選択され、自動的に切り替えて印刷を続行することができる。
そのため、用紙の搬送時間が短い給紙段（例えば、カセット１）の使用頻度が多くなるという懸念があった。
本発明は、給紙段の使用頻度又は使用量を平準化することすることを目的とする。
【課題を解決するための手段】
【０００５】
そこで、本発明は、複数の画像形成の機能ごとに複数の給紙段の優先順位を決定する決定手段と、前記決定手段により決定された前記優先順位に基づいて、要求された画像形成の機能で利用される給紙段を選択する選択手段と、を有する。
【発明の効果】
【０００６】
本発明によれば、給紙段の使用頻度又は使用量を平準化することができる。
【図面の簡単な説明】
【０００７】
【図１】画像形成装置のハードウェア構成等の一例を示す図である。
【図２】画像形成装置の操作パネルの一例を示す図である。
【図３】実施形態１のカセットオート選択処理の一例を示すフローチャートである。
【図４】カセットオート選択の設定情報の一例を示す図である。
【図５】実施形態１のカセットオート選択の優先順位テーブルの一例を示す図である。
【図６】実施形態２のカセットオート選択処理の一例を示すフローチャートである。
【図７】カセットオート選択優先カセット指定の設定情報の一例を示す図である。
【図８】カセットオート選択の優先順位テーブルの一例を示す図である。
【図９】印刷処理の一例を示すフローチャートである。
【図１０】実施形態３のカセットオート選択処理の一例を示すフローチャートである。
【図１１】実施形態３のカセットオート選択の優先順位テーブルの一例を示す図である。
【発明を実施するための形態】
【０００８】
以下、本発明の実施形態について図面に基づいて説明する。
【０００９】
＜実施形態１＞
図１は、画像形成装置１００等を含む画像形成システム及び画像形成装置１００のハードウェア構成の一例を示す図である。
各ブロックは、ハードウェアを示している。ブロック間の矢印は、データ又は指示の流れを示している。
画像形成装置１００は、印刷部１０７、読取部１０９、操作パネル１１０、回線Ｉ／Ｆ１１２、及び、これらの制御を司るコントローラ部１０１にて構成される。
コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ  Ｉ／Ｆ１１５、ネットワークＩ／Ｆ１１８を含み、各ブロックはシステムバス１０５にて接続されている。
ＣＰＵ１０２は、各種制御プログラムに従って処理を実行することによって上述した各ブロックを総括的に制御する。各種制御プログラムは、ＣＰＵ１０２がＲＯＭ１０４のプログラム領域に記憶された制御プログラムを読み出すことによって実行される。或いは、各種制御プログラムは、ＣＰＵ１０２がＲＯＭ１０４のプログラム領域に記憶された圧縮されたデータをＲＡＭ１０３へ伸張、展開することで実行される。また、画像形成装置１００がハードディスクドライブ（ＨＤＤ）を有する場合、ＨＤＤに前述の各種制御プログラムを圧縮状態／非圧縮状態で格納してもよい。以下では、説明の簡略化のため、画像形成装置１００は、ＨＤＤを有するものとして説明を行う。以下で示すテーブルは、ＲＡＭ１０３又はＨＤＤに記憶される。
【００１０】
ネットワークＩ／Ｆ１１８は、ネットワーク（ＬＡＮ）１２０等を介してホストコンピュータ（以下、ＰＣという）１２１との通信処理を行う。ネットワークＩ／Ｆ１１８とネットワーク網１２０とは、ＬＡＮケーブル１１９等の通信ケーブルで接続される。
ＭＯＤＥＭ１１１は、回線Ｉ／Ｆ１１２を介して公衆回線網１１４と接続し、他のデータ通信装置やファクス装置、電話機等と通信処理を行う。回線Ｉ／Ｆ１１２と公衆回線網１１４とは、一般的に電話線１１３等で接続される。
印刷部Ｉ／Ｆ１０６は、印刷部１０７（プリンターエンジン）に画像信号を出力するインターフェースを担う。また、読取部Ｉ／Ｆ１０８は、読取部１０９（スキャナーエンジン）からの読取画像信号を入力するインターフェースを担う。ＣＰＵ１０２は、読取部Ｉ／Ｆ１０８より入力された画像信号を処理し、記録画像信号として印刷部Ｉ／Ｆ１０６へ出力する。
【００１１】
ＣＰＵ１０２は、ＲＯＭ１０４のフォント領域に記憶されたフォント情報を用いて、操作パネル１１０の表示部に文字や記号を表示したり、ユーザの指示を受けた操作パネル１１０からの指示情報を受けたりする。また、ＲＯＭ１０４のデータ領域には、ＣＰＵ１０２によって画像形成装置１００の装置情報や、ユーザの電話帳情報等が記憶され、ＣＰＵ１０２により必要に応じて読み出され、必要に応じて更新される。
図１では、読取部１０９及び印刷部１０７を画像形成装置１００の内部にある構成としたが、それぞれ又は両方とも外部にある構成でもよい。
ＣＰＵ１０２が、ＲＯＭ１０４等に記憶されているプログラムに基づき処理を実行することによって、後述する画像形成装置１００の機能及びフローチャートに係る処理が実現される。
【００１２】
図２は、画像形成装置１００の操作パネルの一例を示す図である。
画像形成装置１００は、読取部１０９と印刷部１０７とによるコピー機能や、読取部１０９とＵＳＢ  Ｉ／Ｆ１１５、又は、ネットワークＩ／Ｆ１１８とによるスキャン機能等を有する。加えて、画像形成装置１００は、ＭＯＤＥＭ１１１によるファクス機能や、ＵＳＢ（Ｕｎｉｖｅｒｓａｌ  Ｓｅａｒｉａｌ  Ｂｕｓ）１１６やネットワーク網１２０経由でＰＣ１２１から指示を受けた印刷（プリント）を行う機能も有する。
操作パネル１１０について以下に説明する。操作パネル１１０には、上述した機能を選択するファンクションキー（２０１〜２０３）があり、ユーザは使用したい機能のボタンを押下する。また、操作パネル１１０は、ユーザに設定状態や画像形成装置１００の機器状態を通知する為の表示部２０４を有する。矢印キー２０５は、表示部２０４に表示されたカーソル等の移動に用いられる。矢印キー２０５には、上下左右４つのボタンがある。矢印キーの中央には、ＯＫキー２０６が配置され、設定や問い合わせに対する「決定キー」の機能を有する。
コピー部数やファクス機能における電話番号の入力等には、ユーザはテンキー２０７を用いる。
【００１３】
コピーやスキャンやファクスのスタートを指示するキーとして白黒スタートキー２０８やカラースタートキー２０９がある。原稿を読み取ったときにカラー原稿かモノクロ原稿かを判別可能な機能を有する画像形成装置１００においては、図に示すように個別のスタートキーを持たない場合がある。
ストップキー２１０は各機能の動作を停止させる指示を行うキーである。一方、動作を停止させる手段として、ユーザは、状態確認・停止キー２１１を使って画像形成装置１００で現在、行っている処理の状態確認画面より、停止したい処理を選択して停止させることができる。その場合も、選択・決定には前述の矢印キー２０５とＯＫキー２０６とが用いられる。
ファクスや送信を行う際の宛先を簡便に指定する手段としてワンタッチキー２１２、短縮キー２１３及びアドレス帳キー２１４がある。ワンタッチキーは各ボタンに対して一つの宛先が登録されており、ユーザは所望のボタンを押下することで宛先を指定することができる。ユーザが短縮キー２１３を押下することで番号入力を促す画面が表示される。ユーザは、所望の宛先に割り当てられた番号をテンキー２０７から入力することで短縮ダイヤルの宛先を指定することができる。また、ユーザは画像形成装置１００に登録されている宛先の一覧を表示させ、矢印キー２０５によって宛先を選択し、ＯＫキー２０６によって所望の宛先を決定することでアドレス帳の機能を利用することできる。
【００１４】
図３は、実施形態１のカセットオート選択処理の一例を示すフローチャートである。カセットオート選択処理は、情報処理の一例である。
Ｓ３０１において、ＣＰＵ１０２は、印刷ジョブ等から印刷対象の印刷ページの用紙サイズと用紙の種類と（以下、用紙情報という）を取得し、Ｓ３０２に遷移する。印刷ジョブは、画像形成ジョブの一例である。
Ｓ３０２において、ＣＰＵ１０２は、ＨＤＤ等に記憶されている給紙段の情報（以下、給紙段情報という）を取得し、Ｓ３０３に遷移する。給紙段情報とは、例えば、給紙段にセットされている用紙の用紙サイズや用紙の種類等である。
Ｓ３０３において、ＣＰＵ１０２は、ＨＤＤ等に記憶されている対象機能のカセットオート選択の設定情報を取得し、Ｓ３０４に遷移する。カセットオート選択の設定情報は、後述する図４に示す。
Ｓ３０４において、ＣＰＵ１０２は、前記カセットオート選択の設定情報に基づき、対象機能のカセットオート選択の優先順位テーブルを作成し、Ｓ３０５に遷移する。カセットオート選択の優先順位テーブルは、後述する図５に示す。
Ｓ３０４の処理は、複数の画像形成の機能ごとに複数の給紙段の優先順位を決定する処理の一例である。
【００１５】
Ｓ３０５において、ＣＰＵ１０２は、前記設定情報及び優先順位テーブルに基づき、処理対象の画像形成の機能（例えば、プリンター）の優先順位１の給紙段がオート選択対象か否かを判定する。ＣＰＵ１０２は、オート選択対象であると判定した場合は、Ｓ３０６に遷移し、オート選択対象で無いと判定した場合は、Ｓ３０７に遷移する。
Ｓ３０６において、ＣＰＵ１０２は、前記用紙情報及び前記給紙段情報に基づき、印刷対象の印刷ページに係る用紙サイズ及び用紙の種類と優先順位１の給紙段にセットされている用紙サイズ及び用紙の種類とが一致しているか否かを判定する。ＣＰＵ１０２は、両者の用紙サイズ及び用紙の種類が一致している場合、一致していると判定し、少なくとも用紙サイズ及び用紙の種類の何れかが一致していない場合、一致していないと判定する。ＣＰＵ１０２は、一致していると判定した場合、Ｓ３１６に遷移し、一致していないと判定した場合、Ｓ３０７に遷移する。
Ｓ３０７において、ＣＰＵ１０２は、前記設定情報及び優先順位テーブルに基づき、処理対象の画像形成の機能（例えば、プリンター）の優先順位２の給紙段がオート選択対象か否かを判定する。ＣＰＵ１０２は、オート選択対象であると判定した場合は、Ｓ３０８に遷移し、オート選択対象でないと判定した場合は、Ｓ３０９に遷移する。
Ｓ３０８において、ＣＰＵ１０２は、前記用紙情報及び前記給紙段情報に基づき、印刷対象の印刷ページに係る用紙サイズ及び用紙の種類と優先順位２の給紙段にセットされている用紙サイズ及び用紙の種類とが一致しているか否かを判定する。ＣＰＵ１０２は、両者の用紙サイズ及び用紙の種類が一致している場合、一致していると判定し、少なくとも用紙サイズ及び用紙の種類の何れかが一致していない場合、一致していないと判定する。ＣＰＵ１０２は、一致していると判定した場合、Ｓ３１６に遷移し、一致していないと判定した場合、Ｓ３０９に遷移する。
【００１６】
Ｓ３０９において、ＣＰＵ１０２は、前記設定情報及び優先順位テーブルに基づき、処理対象の画像形成の機能（例えば、プリンター）の優先順位３の給紙段がオート選択対象か否かを判定する。ＣＰＵ１０２は、オート選択対象であると判定した場合は、Ｓ３１０に遷移し、オート選択対象でないと判定した場合は、Ｓ３１１に遷移する。
Ｓ３１０において、ＣＰＵ１０２は、前記用紙情報及び前記給紙段情報に基づき、印刷対象の印刷ページに係る用紙サイズ及び用紙の種類と優先順位３の給紙段にセットされている用紙サイズ及び用紙の種類とが一致しているか否かを判定する。ＣＰＵ１０２は、両者の用紙サイズ及び用紙の種類が一致している場合、一致していると判定し、少なくとも用紙サイズ及び用紙の種類の何れかが一致していない場合、一致していないと判定する。ＣＰＵ１０２は、一致していると判定した場合、Ｓ３１６に遷移し、一致していないと判定した場合、Ｓ３１１に遷移する。
Ｓ３１１において、ＣＰＵ１０２は、前記設定情報及び優先順位テーブルに基づき、処理対象の画像形成の機能（例えば、プリンター）の優先順位４の給紙段がオート選択対象か否かを判定する。ＣＰＵ１０２は、オート選択対象であると判定した場合は、Ｓ３１２に遷移し、オート選択対象でないと判定した場合は、Ｓ３１３に遷移する。
Ｓ３１２において、ＣＰＵ１０２は、前記用紙情報及び前記給紙段情報に基づき、印刷対象の印刷ページに係る用紙サイズ及び用紙の種類と優先順位４の給紙段にセットされている用紙サイズ及び用紙の種類とが一致しているか否かを判定する。ＣＰＵ１０２は、両者の用紙サイズ及び用紙の種類が一致している場合、一致していると判定し、少なくとも用紙サイズ及び用紙の種類の何れかが一致していない場合、一致していないと判定する。ＣＰＵ１０２は、一致していると判定した場合、Ｓ３１６に遷移し、一致していないと判定した場合、Ｓ３１３に遷移する。
【００１７】
Ｓ３１３において、ＣＰＵ１０２は、前記設定情報及び優先順位テーブルに基づき、処理対象の画像形成の機能（例えば、プリンター）の優先順位５の給紙段がオート選択対象か否かを判定する。ＣＰＵ１０２は、オート選択対象であると判定した場合は、Ｓ３１４に遷移し、オート選択対象でないと判定した場合は、Ｓ３１５に遷移する。
Ｓ３１４において、ＣＰＵ１０２は、前記用紙情報及び前記給紙段情報に基づき、印刷対象の印刷ページに係る用紙サイズ及び用紙の種類と優先順位５の給紙段にセットされている用紙サイズ及び用紙の種類とが一致しているか否かを判定する。ＣＰＵ１０２は、両者の用紙サイズ及び用紙の種類が一致している場合、一致していると判定し、少なくとも用紙サイズ及び用紙の種類の何れかが一致していない場合、一致していないと判定する。ＣＰＵ１０２は、一致していると判定した場合、Ｓ３１６に遷移し、一致していないと判定した場合、Ｓ３１５に遷移する。
Ｓ３１５において、ＣＰＵ１０２は、オートカセット選択処理において、対象のカセットが無いことを示す情報を設定情報等に記憶し、図３に示す処理を終了する。
Ｓ３１６において、ＣＰＵ１０２は、オートカセット選択処理において、選択された給紙段の情報（例えば、カセット１等）を設定情報等に記憶し、図３に示す処理を終了する。
Ｓ３０５〜Ｓ３１６の処理は、優先順位に基づいて、要求された画像形成の機能で利用される給紙段を選択する処理の一例である。
【００１８】
図４は、カセットオート選択の設定情報の一例を示す図である。
図４では、コピー、プリンター、ファクス、そして、その他の印刷に対して、手差しトレイ、カセット１、カセット２、カセット３、カセット４をカセットオート選択の対象とするか否かが設定情報に含まれている。
図４の設定情報によれば、実施形態１では、コピー、プリンター、ファクス、そして、その他の印刷に対して、カセット１、カセット２、カセット３、カセット４がカセットオート選択の対象となっていることが示されている。
図４に示される設定情報は、例えば、ユーザが、図２の操作パネルを介して設定する。デフォルト値として予め設定されていてもよい。予め設定されている場合でも、ユーザは、図２の操作パネルを介して前記設定情報を修正等することができる。即ち、ＣＰＵ１０２は、操作パネルを介したユーザの設定操作に応じて、前記設定情報を設定したり、修正したりする。
【００１９】
図５は、実施形態１のカセットオート選択の優先順位テーブルの一例を示す図である。
図５では、コピー時のカセットオート選択の優先順位は、カセット１→カセット２→カセット３→カセット４→手差しトレイの順であることが示されている。
また、プリンター時のカセットオート選択の優先順位は、カセット２→カセット３→カセット４→カセット１→手差しトレイの順であることが示されている。
また、ファックス時のカセットオート選択の優先順位は、カセット３→カセット４→カセット１→カセット２→手差しトレイの順であることが示されている。
また、その他の印刷時のカセットオート選択の優先順位は、カセット４→カセット１→カセット２→カセット３→手差しトレイの順であることが示されている。
【００２０】
以上、実施形態１によれば、画像形成装置１００の機能ごとに、給紙段の優先順位を変えることができるため、給紙段の使用頻度又は使用量を平準化することができる。また、その結果、特定の給紙段において給紙ジャムの発生頻度が多くなることを防ぐことができる。また、その結果、サービスメンテナンスによって給紙ローラ等の交換頻度が多くなることを防ぐことができる。
【００２１】
＜実施形態２＞
図６は、実施形態２のカセットオート選択処理の一例を示すフローチャートである。
Ｓ６０１〜Ｓ６０３の処理は、図３のＳ３０１〜Ｓ３０３の処理と同様である。
Ｓ６０４において、ＣＰＵ１０２は、ＨＤＤ等に記憶されている対象機能のカセットオート選択優先カセット指定の設定情報を取得し、Ｓ６０５に遷移する。カセットオート選択優先カセット指定の設定情報は、後述する図７に示す。
Ｓ６０５において、ＣＰＵ１０２は、前記カセットオート選択の設定情報及び前記カセットオート選択優先カセット指定の設定情報に基づき、対象機能のカセットオート選択の優先順位テーブルを作成し、Ｓ６０６に遷移する。カセットオート選択の優先順位テーブルは、後述する図８に示す。
Ｓ６０６〜Ｓ６１７の処理は、図３のＳ３０５〜Ｓ３１６の処理と同様である。
【００２２】
図７は、カセットオート選択優先カセット指定の設定情報の一例を示す図である。
図７では、コピー、プリンター、ファクス、そして、その他の印刷に対して、カセットオート選択時に手差しトレイ、カセット１、カセット２、カセット３、カセット５からどの給紙段を優先して選択するかが設定情報に含まれている。
図７の設定情報によれば、コピー時のカセットオート選択の優先カセット指定は、カセット１であることが示されている。
また、プリンター時のカセットオート選択の優先カセット指定は、カセット３であることが示されている。
また、ファックス時のカセットオート選択の優先カセット指定は、カセット２であることが示されている。
また、その他の印刷時のカセットオート選択の優先順位は、指定なし（ＯＦＦ）となっていることが示されている。
図７に示される設定情報は、例えば、ユーザが、図２の操作パネルを介して設定する。デフォルト値として予め設定されていてもよい。予め設定されている場合でも、ユーザは、図２の操作パネルを介して前記設定情報を修正等することができる。即ち、ＣＰＵ１０２は、操作パネルを介したユーザの設定操作に応じて、前記設定情報を設定したり、修正したりする。
【００２３】
図８は、カセットオート選択の優先順位テーブルの一例を示す図である。
図８では、コピー時のカセットオート選択の優先順位は、カセット１→カセット２→カセット３→カセット４→手差しトレイの順であることが示されている。
また、プリンター時のカセットオート選択の優先順位は、カセット３→カセット４→カセット１→カセット２→手差しトレイの順であることが示されている。
また、ファックス時のカセットオート選択の優先順位は、カセット２→カセット３→カセット４→カセット１→手差しトレイの順であることが示されている。
また、その他の印刷時のカセットオート選択の優先順位は、カセット１→カセット２→カセット３→カセット４→手差しトレイの順であることが示されている。
【００２４】
以上、実施形態２によれば、ユーザは、画像形成装置１００の機能ごとに、給紙段のオート選択の優先順位を変更等することができる。また、画像形成装置１００の機能ごとに、給紙段の優先順位を変えることができるため、給紙段の使用頻度又は使用量を平準化することができる。また、その結果、特定の給紙段において給紙ジャムの発生頻度が多くなることを防ぐことができる。また、その結果、サービスメンテナンスによって給紙ローラ等の交換頻度が多くなることを防ぐことができる。
【００２５】
＜実施形態３＞
図９は、印刷処理の一例を示すフローチャートである。
Ｓ９０１において、ＣＰＵ１０２は、後述する図１０に示すようなオートカセット選択処理を行い、Ｓ９０２に移行する。
Ｓ９０２において、ＣＰＵ１０２は、印刷部１０７等を制御し、印刷を行う。印刷が終わると、ＣＰＵ１０２は、Ｓ９０３に移行する。
Ｓ９０３において、ＣＰＵ１０２は、印刷終了時の給紙段の情報（例えば、カセット１）を例えば、ＨＤＤ等に保存する。
【００２６】
図１０は、実施形態３のカセットオート選択処理の一例を示すフローチャートである。
Ｓ１００１〜Ｓ１００３の処理は、図３のＳ３０１〜Ｓ３０３の処理と同様である。
Ｓ１００４において、ＣＰＵ１０２は、前の印刷ジョブの終了時に保存した給紙段の情報（Ｓ９０３において保存した給紙段の情報）を取得し、Ｓ１００５に遷移する。
Ｓ１００５において、ＣＰＵ１０２は、前記カセットオート選択の設定情報及び前記給紙段の情報に基づき、対象機能のカセットオート選択の優先順位テーブルを作成し、Ｓ１００６に遷移する。カセットオート選択の優先順位テーブルは、後述する図１１に示す。
Ｓ１００６〜Ｓ１０１７の処理は、図３のＳ３０５〜Ｓ３１６の処理と同様である。
【００２７】
図１１は、実施形態３のカセットオート選択の優先順位テーブルの一例を示す図である。図１１では、奇数のジョブ（例えば、１、３、・・・、Ｎジョブ目）のカセットオート選択の優先順位は、カセット１→カセット２→カセット３→カセット４→手差しトレイの順であることが示されている。
また、偶数のジョブ（例えば、２、４、・・・、Ｎ＋１ジョブ目）のカセットオート選択の優先順位は、カセット２→カセット３→カセット４→カセット１→手差しトレイの順であることが示されている。
【００２８】
以上、実施形態３によれば、ジョブの実行ごとに給紙段のオート選択の優先順位を変えることができるため、給紙段の使用頻度又は使用量を平準化することができる。また、その結果、特定の給紙段において給紙ジャムの発生頻度が多くなることを防ぐことができる。また、その結果、サービスメンテナンスによって給紙ローラ等の交換頻度が多くなることを防ぐことができる。
実施形態３の処理は、実施形態２に適用するようにしてもよい。
【００２９】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読み出し実行する処理でも実現可能である。また、１以上の機能を実現する回路（例えば、ＡＳＩＣ）によっても実現可能である。
【００３０】
以上、上述した各実施形態によれば、給紙段の使用頻度又は使用量を平準化することができる。また、その結果、特定の給紙段において給紙ジャムの発生頻度が多くなることを防ぐことができる。また、その結果、サービスメンテナンスによって給紙ローラ等の交換頻度が多くなることを防ぐことができる。
【符号の説明】
【００３１】
１００  画像形成装置、１０２  ＣＰＵ
【図１】
2016068523.tif 000003
【図２】
2016068523.tif 000004
【図３】
2016068523.tif 000005
【図４】
2016068523.tif 000006
【図５】
2016068523.tif 000007
【図６】
2016068523.tif 000008
【図７】
2016068523.tif 000009
【図８】
2016068523.tif 000010
【図９】
2016068523.tif 000011
【図１０】
2016068523.tif 000012
【図１１】
2016068523.tif 000013